(57)【要約】【課題】複数の基本色を調整して掛け合わせた割合調整色を用いて補正を行なうことのできる機能を備えた印刷色補正装置を提供することを目的とする。【解決手段】補正時色彩値読み取り部１４がグレーチャートにおけるグレー色毎の色彩値を読み取り、標準時信号値読み取り部１５が当該読み取った各グレー色の色彩値と同じの色彩値に対応付けられている基本色毎の信号値を標準時対応テーブル記憶部１１から読み取る。そして、補正関係算出部１６がグレー色を印刷した基本色毎の信号値と標準時信号値読み取り部１５が読み取った基本色毎の信号値との対応関係を基本色毎に求め、補正部１９が補正時において出力データに含まれる基本色毎の信号値を読み取り、当該読み取った基本色毎の信号値を前記対応関係に基づいて補正する。【選択図】  図１
2005026776.tif 000002
【特許請求の範囲】
【請求項１】
出力データを出力する出力機器に劣化のない標準時に複数の基本色の信号値を調整して出力した色の色彩値と当該調整した基本色毎の信号値とを対応付けた標準時対応テーブルを記憶する標準時対応テーブル記憶手段と、
前記出力機器が劣化した補正時において前記基本色の各々の信号値を所定の割合で調整して出力した割合調整色を、前記基本色の各々の信号値を変化させて複数出力する割合調整色出力手段と、
前記割合調整色毎の色彩値を読み取る補正時色彩値読み取り手段と、
当該読み取った各割合調整色の色彩値と同じの色彩値に対応付けられている基本色毎の信号値を前記標準時対応テーブルから読み取る標準時信号値読み取り手段と、
前記割合調整色の基本色毎の信号値と前記標準時信号値読み取り手段が読み取った基本色毎の信号値との対応関係を基本色毎に求める補正関係算出手段と、
前記補正時において出力データに含まれる基本色毎の信号値を読み取り、当該読み取った基本色毎の信号値を前記対応関係に基づいて補正する補正手段と、
を備えることを特徴とする印刷色補正装置。
【請求項２】
前記所定の割合は、前記基本色の各々の信号値が同割合となる割合であることを特徴とする請求項１に記載の印刷色補正装置。
【請求項３】
出力データを出力する出力機器に劣化のない標準時に複数の基本色の信号値を調整して出力した色の色彩値と当該調整した基本色毎の信号値とを対応付けた標準時対応テーブルを記憶する標準時対応テーブル記憶手段を備えた印刷色補正装置における印刷色補正方法であって、
前記出力機器が劣化した補正時において前記基本色の各々の信号値を所定の割合で調整して出力した割合調整色を、前記基本色の各々の信号値を変化させて複数出力する割合調整色出力過程と、
前記割合調整色毎の色彩値を読み取る補正時色彩値読み取り過程と、
当該読み取った各割合調整色の色彩値と同じの色彩値に対応付けられている基本色毎の信号値を前記標準時対応テーブルから読み取る標準時信号値読み取り過程と、
前記割合調整色の基本色毎の信号値と前記標準時信号値読み取り過程において読み取った基本色毎の信号値との対応関係を基本色毎に求める補正関係算出過程と、
前記補正時において出力データに含まれる基本色毎の信号値を読み取り、当該読み取った基本色毎の信号値を前記対応関係に基づいて補正する補正過程と、
を有することを特徴とする印刷色補正方法。
【請求項４】
出力データを出力する出力機器に劣化のない標準時に複数の基本色の信号値を調整して出力した色の色彩値と当該調整した基本色毎の信号値とを対応付けた標準時対応テーブルを記憶する標準時対応テーブル記憶手段を備えた印刷色補正装置のコンピュータに実行させるプログラムであって、
前記出力機器が劣化した補正時において前記基本色の各々の信号値を所定の割合で調整して出力した割合調整色を、前記基本色の各々の信号値を変化させて複数出力する割合調整色出力過程と、
前記割合調整色毎の色彩値を読み取る補正時色彩値読み取り過程と、
当該読み取った各割合調整色の色彩値と同じの色彩値に対応付けられている基本色毎の信号値を前記標準時対応テーブルから読み取る標準時信号値読み取り過程と、
前記割合調整色の基本色毎の信号値と前記標準時信号値読み取り過程において読み取った基本色毎の信号値との対応関係を基本色毎に求める補正関係算出過程と、
前記補正時において出力データに含まれる基本色毎の信号値を読み取り、当該読み取った基本色毎の信号値を前記対応関係に基づいて補正する補正過程と、
をコンピュータに実行させるプログラム。
【発明の詳細な説明】
【０００１】
【発明の属する技術分野】
この発明は、コンピュータシステムに係り、特に、印刷色補正装置及び印刷色補正方法並びにそのプログラムに関するものである。
【０００２】
【従来の技術】
従来、プリンタのコンディションの変化や劣化により色の出力が変化した時などは、当該プリンタの色出力の補正を行なう。そして、その補正の方法の１つは、まず、印刷する色を作り出す複数の基本色（例えば、Ｃ（シアン）、Ｍ（マゼンタ）、Ｙ（イエロ）、Ｋ（ブラック））それぞれの補正時におけるカラーチャートをプリントアウトする。尚、カラーチャートとは、基本色の網点面積比率を変化させて印刷した印刷物である。そして、標準時（プリンタのコンディションの変化や劣化が発生していない時）のカラーチャートにおける色彩値と補正時（プリンタのコンディションの変化や劣化が発生した時）におけるカラーチャートの色彩値を比較して、色彩値が同値である標準時の各基本色の信号値と補正時の各基本色の信号値との対応表（入出力カーブ）を作成する。そして、入出力カーブを用いてプリンタの色出力の補正を基本色毎に行っている（例えば、特許文献１参照。）。
【０００３】
【特許文献１】
特開２００２−２４７３９６号公報
【０００４】
【発明が解決しようとする課題】
上述のプリンタにおける色出力の補正方法は、各基本色別々に入出力カーブを作成して補正しているが、一般的に単色インクに近い色で印刷された色よりも、複数のインクが調整して掛け合わした色のほうが、微妙な色の違いを目視によって感じることができる。そして、複数のインクが掛け合わされた色を用いてカラーチャートを作成することで、標準時と補正後のカラーチャートにおける色の出力の違いを容易に見分けることができるようになる。また、印刷は通常、複数の基本色を組み合わせて行なうので、各基本色別々のカラーチャートを用いて補正をするよりも、複数のインクが掛け合わされた色を用いてカラーチャートを作成した方が実際の印刷に近い状況を作り出すことができるので、補正をする際の条件として好ましい。
そこでこの発明は、複数の基本色を調整して掛け合わせた色を用いて補正を行なうことのできる機能を備えた、印刷色補正装置及び印刷色補正方法並びにそのプログラムを提供することを目的としている。
【０００５】
【課題を解決するための手段】
本発明は、上述の課題を解決すべくなされたもので、出力データを出力する出力機器に劣化のない標準時に複数の基本色の信号値を調整して出力した色の色彩値と当該調整した基本色毎の信号値とを対応付けた標準時対応テーブルを記憶する標準時対応テーブル記憶手段と、前記出力機器が劣化した補正時において前記基本色の各々の信号値を所定の割合で調整して出力した割合調整色を、前記基本色の各々の信号値を変化させて複数出力する割合調整色出力手段と、前記割合調整色毎の色彩値を読み取る補正時色彩値読み取り手段と、当該読み取った各割合調整色の色彩値と同じの色彩値に対応付けられている基本色毎の信号値を前記標準時対応テーブルから読み取る標準時信号値読み取り手段と、前記割合調整色の基本色毎の信号値と前記標準時信号値読み取り手段が読み取った基本色毎の信号値との対応関係を基本色毎に求める補正関係算出手段と、前記補正時において出力データに含まれる基本色毎の信号値を読み取り、当該読み取った基本色毎の信号値を前記対応関係に基づいて補正する補正手段とを備えることを特徴とする印刷色補正装置である。
【０００６】
上述の構成によれば、本発明は、割合調整色出力手段が補正時において基本色の各々の信号値を所定の割合で調整して出力した割合調整色を、基本色の各々の信号値を変化させて複数出力し、補正時色彩値読み取り手段が割合調整色毎の色彩値を読み取る。そして、標準時信号値読み取り手段が読み取った各割合調整色の色彩値と同じの色彩値に対応付けられている基本色毎の信号値を標準時対応テーブルから読み取り、補正関係算出手段が割合調整色の基本色毎の信号値と標準時信号値読み取り手段が読み取った基本色毎の信号値との対応関係を基本色毎に求める。また補正手段が補正時において出力データに含まれる基本色毎の信号値を読み取り、当該読み取った基本色毎の信号値を前記対応関係に基づいて補正する。
これにより、複数のインクを調整して掛け合わされた割合調整色を用いてカラーチャートを作成するので、標準時と補正時との色の出力の違いを容易に見分けることができるようになる。これにより補正した後の確認を目視により容易に行なうことができる。また複数のインクを調整して掛け合わされた割合調整色を用いてカラーチャートを作成するので、実際の印刷に近い状況を作り出すことができるので、補正をする際の条件としてより好ましい。また、各基本色による複数のチャートではなく、割合調整色によるチャートを１つ作成すればよいので、補正時色彩値読み取り手段でチャートの色を読み取る数が少なくてすむ。
【０００７】
また本発明は、前記所定の割合が、前記基本色の各々の信号値が同割合となる割合であることを特徴とする。
【０００８】
また本発明は、出力データを出力する出力機器に劣化のない標準時に複数の基本色の信号値を調整して出力した色の色彩値と当該調整した基本色毎の信号値とを対応付けた標準時対応テーブルを記憶する標準時対応テーブル記憶手段を備えた印刷色補正装置における印刷色補正方法であって、前記出力機器が劣化した補正時において前記基本色の各々の信号値を所定の割合で調整して出力した割合調整色を、前記基本色の各々の信号値を変化させて複数出力する割合調整色出力過程と、前記割合調整色毎の色彩値を読み取る補正時色彩値読み取り過程と、当該読み取った各割合調整色の色彩値と同じの色彩値に対応付けられている基本色毎の信号値を前記標準時対応テーブルから読み取る標準時信号値読み取り過程と、前記割合調整色の基本色毎の信号値と前記標準時信号値読み取り過程において読み取った基本色毎の信号値との対応関係を基本色毎に求める補正関係算出過程と、前記補正時において出力データに含まれる基本色毎の信号値を読み取り、当該読み取った基本色毎の信号値を前記対応関係に基づいて補正する補正過程とを有することを特徴とする印刷色補正方法である。
【０００９】
また本発明は、出力データを出力する出力機器に劣化のない標準時に複数の基本色の信号値を調整して出力した色の色彩値と当該調整した基本色毎の信号値とを対応付けた標準時対応テーブルを記憶する標準時対応テーブル記憶手段を備えた印刷色補正装置のコンピュータに実行させるプログラムであって、前記出力機器が劣化した補正時において前記基本色の各々の信号値を所定の割合で調整して出力した割合調整色を、前記基本色の各々の信号値を変化させて複数出力する割合調整色出力過程と、前記割合調整色毎の色彩値を読み取る補正時色彩値読み取り過程と、当該読み取った各割合調整色の色彩値と同じの色彩値に対応付けられている基本色毎の信号値を前記標準時対応テーブルから読み取る標準時信号値読み取り過程と、前記割合調整色の基本色毎の信号値と前記標準時信号値読み取り過程において読み取った基本色毎の信号値との対応関係を基本色毎に求める補正関係算出過程と、前記補正時において出力データに含まれる基本色毎の信号値を読み取り、当該読み取った基本色毎の信号値を前記対応関係に基づいて補正する補正過程とをコンピュータに実行させるプログラムである。
【００１０】
【発明の実施の形態】
以下、本発明の一実施形態による印刷色補正装置を図面を参照して説明する。
図１は、この発明の一実施形態による印刷色補正装置の構成を示す概略ブロック図である。
この図において符号１は印刷色補正装置である。また符号１１は標準時に複数の基本色の信号値を様々な値で調整して出力した色の色彩値と当該調整した各基本色の信号値とを対応付けた標準時対応テーブルのデータを記憶する標準時対応テーブル記憶部（標準時対応テーブル記憶手段）である。ここで、標準時とはプリンタ（出力機器）の状態が良好で、コンディションの変化や劣化が発生していない時のことを言う。また基本色とはプリンタが出力する色を作り出す為の基のインクの色のことであり、本実施形態においてはＣ（シアン）、Ｍ（マゼンタ）、Ｙ（イエロ）、Ｋ（ブラック）の４つの色を基本色と呼ぶ。そしてこの基本色を出力する為の信号値を組み合わせることにより様々な色をプリンタが印刷する。例えば、色彩値（彩度・明度・色相）＝６２・６５・４３の色を出力する為に調整した基本色の信号値（Ｃ・Ｍ・Ｙ・Ｋ）がＣ＝１２、Ｍ＝１４、Ｙ＝１０、Ｋ＝８だった場合には、その色彩値と各基本色の信号値とを対応付けて標準時対応テーブル記憶部１１が記憶する。また、色彩値とは明度と彩度と色相の３要素の値により色を表現したものである。尚、本実施形態においての色彩値はＬａｂ値である。また、標準時対応テーブル記憶部１１とは例えばメモリなどの記憶媒体である。
【００１１】
また１２は各基本色の信号値を同割合で調整して出力したグレー色（割合調整色）を、網点面積比率を変化させて複数出力したグレーチャートのデータを記憶するグレーチャートデータ記憶部である。また１３は補正時に印刷色補正装置１を操作するユーザの指示に基づいてグレーチャートを出力するグレーチャート出力部（割合調整色出力手段）である。ここで補正時とはプリンタが劣化してコンディションが悪い場合にプリンタの色の出力を補正する時のことを言う。また１４はグレーチャートにおける網点面積比率の異なる各グレー色の色彩値を読み取る補正時色彩値読み取り部（補正時色彩値読み取り手段）である。尚、補正時色彩値読み取り部１４は、例えば印刷色補正装置１の外部に備えられた測色器（色の色彩値を測色する機器）から当該測色した色彩値を受付ける処理を行なう処理部であっても、また測色器の機能をも有した処理部であっても良い。
【００１２】
また１５は補正時色彩値読み取り部１４がグレーチャートから読み取った各グレー色の色彩値と同じ色彩値に対応して記録されている各基本色の信号値を、標準時対応テーブル記憶部１１で保持する標準時対応テーブルから読み取る標準時信号値読み取り部（標準時信号値読み取り手段）である。また１６はグレーチャートを印刷した時に出力した各基本色の信号値と標準時信号値読み取り部１５が読み取った各基本色の信号値との対応関係を示す入出力カーブを算出する補正関係算出部（補正関係算出手段）である。また１７は入出力カーブのデータを記憶する入出力カーブデータ記憶部である。また１８は出力データを記憶する出力データ記憶部である。また１９は補正関係算出部１６が算出した入出力カーブに基づいて出力データに含まれる基本色毎の信号値を補正する補正部（補正手段）である。
【００１３】
そして、プリンタの色の出力を補正する時に、ユーザによるグレーチャートの出力操作に基づいてグレーチャート出力部１３がグレーチャートを出力する。そして、補正時色彩値読み取り部１４でグレーチャートに印刷された各グレー色の色彩値を読み取る。そして、補正時色彩値読み取り部１４の読み取った各グレー色の色彩値と同じ色彩値に対応して標準対応テーブル１１に記録されている各基本色の信号値を標準時信号値読み取り部１５が読み取る。次に、当該標準時信号値読み取り部１５が読み取った各基本色の信号値と、補正時にグレーチャート出力部１３がグレーチャートを出力するために出力した各基本色の信号値とに基づいて、補正関係算出部１６が補正時におけるグレーチャートを作成するための各基本色の信号値と標準時におけるプリンタで色を出力するための各基本色の信号値との対応関係を示す入出力カーブを算出する。そして補正部１９が補正関係算出部１６の算出した入出力カーブを用いて出力データの基本色の信号値を補正する。
【００１４】
尚、本実施形態においては、各基本色の信号値が同割合で出力されたグレー色を用いてグレーチャートを作成し、当該グレーチャートに表示された各グレー色の色彩値と標準時のプリンタが出力する色の色彩値とに基づいて、補正時に出力する各基本色の信号値と標準時に出力する各基本色の信号値との対応関係を示す入出力カーブを補正関係算出部１６が算出している。しかし、グレーチャートではなく、各基本色の信号値が異なる割合で出力されたチャートを作成して、当該チャートに表示された色の色彩値と標準時のプリンタが出力する色の色彩値とに基づいて補正関係算出部１６が入出力カーブを算出するようにしてもよい。
【００１５】
図２は印刷色補正装置１が印刷したグレーチャートを示す図である。この図で示すようにグレーチャートは各基本色（Ｃ、Ｍ、Ｙ、Ｋ）の信号値が同割合で印刷されたグレー色を網点面積比率を変化させながら印刷したものである。またこのグレーチャートは、各基本色の信号値を同割合にして、当該信号値の割合を徐々に変化させて、網点面積比率を０％〜１００％まで１０％毎の割合で増加したグレー色を印刷している。また、図３は同割合の各基本色の信号値が各網点面積比率のグレー色を印刷する場合の信号値である時の当該グレー色の色彩値を示す表である。
【００１６】
次に、印刷色補正装置１の処理の詳細を図４を用いて説明する。図４は印刷色補正装置１の処理のフローを示す図である。
まず、補正時において、上述のグレーチャートにおける各グレー色の色彩値を印刷色補正装置１の補正時色彩値読み取り部１４が読み取る（ステップ１）。ここで、図３より、同割合の各基本色の信号値が網点面積比率が０％の色を印刷する信号値である場合の当該色の色彩値が示す明度と彩度と色相はそれぞれ７０・２０・７４であるとする。また、同割合の各基本色の信号値が網点面積比率が１０％のグレー色を印刷する信号値である場合の当該グレー色の色彩値が示す明度と彩度と色相はそれぞれ６２・６５・４３であり、また、同割合の各基本色の信号値が網点面積比率が２０％のグレー色を印刷する信号値である場合の当該グレー色の色彩値が示す明度と彩度と色相はそれぞれ５１・５８・４０であり、また、同割合の各基本色の信号値が網点面積比率が１００％のグレー色を印刷する信号値である場合の当該グレー色の色彩値が示す明度と彩度と色相はそれぞれ１２・１４・１０であるとする。尚、実際には網点面積比率が３０％〜９０％のカラーチャートにおけるグレー色の色彩値も実際には読み取る。
【００１７】
次に標準時信号値読み取り部１５はステップＳ１で読み取った各グレー色の色彩値に対応して標準対応テーブルで記憶する基本色の信号値を標準時対応テーブル記憶部１１から読み取る（ステップＳ２）。尚、標準時信号値読み取り部１５が標準時対応テーブル記憶部１１から読み取った、色彩値７０・２０・７４の色を印刷する際の標準時の基本色の信号値はＣ＝Ｍ＝Ｙ＝Ｋ＝０％の網点面積比率のグレー色を印刷する信号値である。また、標準時信号値読み取り部１５が標準時対応テーブル記憶部１１から読み取った、色彩値６２・６５・４３のグレー色を印刷する際の標準時の基本色の信号値はＣ＝１２％、Ｍ＝１４％、Ｙ＝１０％、Ｋ＝８％の網点面積比率のグレー色を印刷する信号値である。また、標準時信号値読み取り部１５が標準時対応テーブル記憶部１１から読み取った、色彩値５１・５８・４０のグレー色を印刷する際の標準時の基本色の信号値はＣ＝２６％、Ｍ＝２５％、Ｙ＝２３％、Ｋ＝２８％の網点面積比率のグレー色を印刷する信号値である。また、標準時信号値読み取り部１５が標準時対応テーブル記憶部１１から読み取った、色彩値１２・１４・１０のグレー色を印刷する際の標準時の基本色の信号値はＣ＝９２％、Ｍ＝９８％、Ｙ＝９６％、Ｋ＝９４％の網点面積比率のグレー色を印刷する信号値である。また、標準時信号値読み取り部１５は補正時における網点面積比率が３０％〜９０％のグレー色を印刷する時の標準時の時の基本色の信号値も同様に標準時対応テーブル記憶部１１から読み取っている。
【００１８】
次に、補正関係算出部１６は、グレーチャートデータ記憶部１２から０％〜１００％までの１０％刻みの網点面積比率のグレー色を印刷する際の各基本色の信号値を読み取り、また、補正関係算出部１６はステップＳ２で標準時信号値読み取り部１５が標準時対応テーブル記憶部１１より読み取った基本色の信号値の転送を受ける。そして、補正関係算出部１６はグレーチャートのグレー色を印刷する時の標準時の各基本色の信号値と補正時の各基本色の信号値との対応関係を表した表を基本色毎に作成する（ステップＳ３）。そして補正関係算出部１６はステップＳ３で作成した表に基づいて、回帰計算をおこなうことによりグレーチャートのグレー色を印刷する時の標準時の各基本色の信号値と補正時の各基本色の信号値との対応関係の曲線グラフとなる入出力カーブを表す数式を導き出す（ステップＳ４）。つまり数式における係数ａ０、ａ１・・・ａｎ−１、ａｎの値を導き出す。そして補正関係算出部１６は導き出した係数の値を入出力カーブデータ記憶部１７に記録する。尚、補正関係算出部１６が導き出した数式を以下に示す。ここで、ｙ＝補正時の信号値、ｘ＝標準時の信号値とする。
【００１９】
ｙ＝ａｎｘｎ＋ａｎ−１ｘｎ−１＋・・・・＋ａ１ｘ＋ａ０
【００２０】
尚、色彩値７０・２０・７４のグレー色を印刷する際の補正時及び標準時の各基本色の信号値は全て網点面積比率０％のグレー色を印刷する信号値である。また、色彩値６２・６５・４３のグレー色を印刷する際の補正時の各基本色の信号値はＣ＝１０％、Ｍ＝１０％、Ｙ＝１０％、Ｋ＝１０％標準時の各基本色の信号値はＣ＝１２％、Ｍ＝１４％、Ｙ＝１０％、Ｋ＝８％である。また色彩値５１・５８・４０のグレー色を印刷する際の補正時の各基本色の信号値はＣ＝２０％、Ｍ＝２０％、Ｙ＝２０％、Ｋ＝２０％、標準時の各基本色の信号値はＣ＝２６％、Ｍ＝２５％、Ｙ＝２３％、Ｋ＝２８％である。また色彩値１２・１４・１０のグレー色を印刷する際の補正時の各基本色の信号値はＣ＝１００％、Ｍ＝１００％、Ｙ＝１００％、Ｋ＝１００％、標準時の各基本色の信号値はＣ＝９２％、Ｍ＝９８％、Ｙ＝９６％、Ｋ＝９４％である。よって、例えばＣ（シアン）の入出力カーブは、縦軸に標準時の基本色Ｃの信号値、横軸に補正時の基本色Ｃの信号値を取ると、補正時Ｃ＝０％：標準時Ｃ＝０％、補正時Ｃ＝１０％：標準時Ｃ＝１２％、補正時Ｃ＝２０％：標準時Ｃ＝２６％、補正時Ｃ＝１００％：標準時Ｃ＝９２％のように対応付けた曲線で表される。
【００２１】
そして、補正部１９は、出力データ記憶部１８に記憶する出力データを出力する際に、当該出力データに含まれる基本色の信号値を読み取り、前記数式のｘに代入してｙを算出する計算を行なう。そして補正部１９は、算出した結果の信号値を出力データの信号値として出力することにより出力データを補正する（ステップＳ５）。尚、図５は同じ色彩値に対応する補正時及び標準時の各基本色の信号値を表す表である。補正関係算出部１６は図５で示す表に基づいて入出力カーブを作成する。また、図６はＣ（シアン）の入出力カーブを示す図である。
【００２２】
以上、本発明の一実施形態について説明したが、本発明はこの実施形態に限らず、例えば、入出力カーブを上述した数式を用いて表すのではなく、グレーチャートのグレー色を印刷する時の標準時の各基本色の信号値と補正時の各基本色の信号値との対応関係を表した表と補間計算とを用いて入出力カーブのデータを生成するようにしても良い。
尚、上述の印刷色補正装置は内部に、コンピュータシステムを有している。そして、上述した処理の過程は、プログラムの形式でコンピュータ読み取り可能な記録媒体に記憶されており、このプログラムをコンピュータが読み出して実行することによって、上記処理が行われる。ここでコンピュータ読み取り可能な記録媒体とは、磁気ディスク、光磁気ディスク、ＣＤ−ＲＯＭ、ＤＶＤ−ＲＯＭ、半導体メモリ等をいう。また、このコンピュータプログラムを通信回線によってコンピュータに配信し、この配信を受けたコンピュータが当該プログラムを実行するようにしても良い。
【００２３】
【発明の効果】
以上説明したように、この発明によれば、割合調整色出力手段が補正時において基本色の各々の信号値を所定の割合で調整して出力した割合調整色を、基本色の各々の信号値を変化させて複数出力し、補正時色彩値読み取り手段が割合調整色毎の色彩値を読み取る。そして、標準時信号値読み取り手段が読み取った各割合調整色の色彩値と同じの色彩値に対応付けられている基本色毎の信号値を標準時対応テーブルから読み取り、補正関係算出手段が割合調整色の基本色毎の信号値と標準時信号値読み取り手段が読み取った基本色毎の信号値との対応関係を基本色毎に求める。また補正手段が補正時において出力データに含まれる基本色毎の信号値を読み取り、当該読み取った基本色毎の信号値を前記対応関係に基づいて補正する。
これにより、複数のインクを調整して掛け合わされた割合調整色を用いてカラーチャートを作成するので、標準時と補正時との色の出力の違いを容易に見分けることができるようになる。これにより補正した後の確認を目視により容易に行なうことができる。また複数のインクを調整して掛け合わされた割合調整色を用いてカラーチャートを作成するので、実際の印刷に近い状況を作り出すことができるので、補正をする際の条件としてより好ましい。また、各基本色による複数のチャートではなく、割合調整色によるチャートを１つ作成すればよいので、補正時色彩値読み取り手段でチャートの色を読み取る数が少なくてすむ。
【図面の簡単な説明】
【図１】本発明の一実施形態による印刷色補正装置の構成を示す概略ブロック図である。
【図２】本実施形態の印刷色補正装置１が印刷したグレーチャートを示す図である。
【図３】同割合の各基本色の信号値が各網点面積比率のグレー色を印刷する場合の信号値である時の当該グレー色の色彩値を示す表である。
【図４】本実施形態の印刷色補正装置１の処理のフローを示す図である。
【図５】同じ色彩値に対応する補正時及び標準時の各基本色の信号値を表す表である。
【図６】Ｃ（シアン）の入出力カーブを示す図である。
【符号の説明】
１  印刷色補正装置
１１  標準時対応テーブル記憶部
１２  グレーチャートデータ記憶部
１３  グレーチャート出力部
１４  補正時色彩値読み取り部
１５  標準時信号値読み取り部
１６  補正関係算出部
１７  入出力カーブデータ記憶部
１８  出力データ記憶部
１９  補正部
【図１】
2005026776.tif 000003
【図２】
2005026776.tif 000004
【図３】
2005026776.tif 000005
【図４】
2005026776.tif 000006
【図５】
2005026776.tif 000007
【図６】
2005026776.tif 000008